【手続補正書】
【提出日】平成23年4月7日(2011.4.7)
【手続補正１】
【補正対象書類名】特許請求の範囲
【補正対象項目名】全文
【補正方法】変更
【補正の内容】
【特許請求の範囲】
【請求項１】
自装置と連携して処理を実行可能な外部装置を記憶する記憶手段と、
機能の実行が指示された場合に、当該機能を実行可能かどうかを問合せる通知要求であって、当該通知要求の送信範囲がきめられた通知要求を、前記記憶手段に記憶されている外部装置に発行する問合せ手段と、
前記記憶手段に記憶されている外部装置、及び、当該外部装置が転送した通知要求を受信した前記送信範囲内に存在する他の装置から、前記問い合わせに対する応答を受信する受信手段と、
前記受信手段によって受信された応答に基づき、当該応答を送信した前記外部装置或いは前記他の装置と連携して前記機能を実行する処理手段と、
を有することを特徴とする通信装置。
【請求項２】
前記問合せ手段は、自装置が前記機能を実行できない場合に、前記外部装置に前記通知要求を発行することを特徴とする請求項１に記載の通信装置。
【請求項３】
前記送信範囲は、自装置から経由する装置の数によって決められることを特徴とする請求項１又は２に記載の通信装置。
【請求項４】
前記受信手段によって受信される応答には、前記通知要求が経由した装置を示す情報が含まれることを特徴とする請求項１乃至３のいずれか１項に記載の通信装置。
【請求項５】
自装置と通信可能な装置を記憶する記憶手段と、
外部装置から、所定の機能を実行可能かを問合せる通知要求であって、当該通知要求の送信範囲が決められた通知要求を受信する受信手段と、
前記受信手段によって受信された通知要求に対して応答する応答手段と、
前記記憶手段に記憶された装置が、前記通知要求において決められている送信範囲内に存在する場合、当該記憶された装置に前記通知要求を送信する送信手段と、
を有することを特徴とする通信装置。
【請求項６】
前記所定の機能を実行可能か判断する判断手段を更に有し、
前記送信手段は、前記判断手段によって前記所定の機能が実行不可能であると判断された場合に、前記通知要求を送信することを特徴とする請求項５に記載の通信装置。
【請求項７】
前記通知要求は送信範囲として前記通知要求の送信元の装置から経由する装置の数を含んでおり、前記送信手段は当該数を一つ減らした上で、当該通知要求を送信することを特徴とする請求項５または６に記載の通信装置。
【請求項８】
機能の実行が指示された場合に、当該機能を実行可能かどうかを問合せる通知要求であって、当該通知要求の送信範囲が決められた通知要求を、自装置と連携して処理を実行可能な外部装置を記憶するに記憶部に記憶されている外部装置に発行する問合せ工程と、
前記記憶部に記憶されている外部装置、及び、当該外部装置が転送した通知要求を受信した前記送信範囲内に存在する他の装置から、前記問合せに対する応答を受信する受信工程と、
前記受信工程で受信された応答に基づき、当該応答を送信した前記外部装置或いは前記他の装置と連携して前記機能を実行する処理工程と、
を有することを特徴とする通信装置の制御方法。
【請求項９】
外部装置から、所定の機能を実行可能かを問合せる通知要求であって、当該通知要求の送信範囲が決められた通知要求を受信する受信工程と、
前記受信手段によって受信された通知要求に対して応答する応答工程と、
自装置と通信可能な装置を記憶する記憶部に記憶された装置が、前記通知要求において決められている送信範囲内に存在する場合、当該記憶された装置に前記通知要求を送信する送信手段と、
を有することを特徴とする通信装置の制御方法。
【請求項１０】
ネットワークを介して第１の装置及び第２の装置を含む複数の装置が接続された通信システムであって、
前記複数の装置のそれぞれは、自装置と連携して処理を実行可能な装置を記憶する記憶手段を有し、
前記第１の装置は、
機能の実行が指示された場合に、当該機能を実行可能かどうかを問合せる通知要求であって、当該通知要求の送信範囲が決められた通知要求を、前記記憶手段に記憶されている外部装置に発行する問合せ手段と、
前記記憶手段に記憶されている外部装置、及び、当該外部装置が転送した通知要求を受信した前記送信範囲内に存在する他の装置から、前記問合せに対する応答を受信する第１の受信手段と、
前記受信手段によって受信された応答に基づき、当該応答を送信した前記外部装置或いは前記他の装置と連携して前記機能を実行する処理手段とを有し、
前記第２の装置は、
前記第１の装置から前記機能を実行可能かを問合せる通知要求であって、当該通知要求の送信範囲が決められた通知要求を受信する第２の受信手段と、
前記第１の受信手段によって受信された通知要求に対して応答する応答手段と、
前記記憶手段に記憶された装置が、前記通知要求において決められている送信範囲内に存在する場合、当該記憶された装置に前記通知要求を送信する送信手段と、
を有することを特徴とする通信システム。
【手続補正２】
【補正対象書類名】明細書
【補正対象項目名】発明の名称
【補正方法】変更
【補正の内容】
【発明の名称】通信装置及びその制御方法と通信システム
【手続補正３】
【補正対象書類名】明細書
【補正対象項目名】０００５
【補正方法】変更
【補正の内容】
【０００５】
本発明の特徴は、自装置と連携して機能を実行できる装置を記憶しておき、機能を実行するように指示されると、その記憶されている装置に、その機能を実施可能かどうかを問合せる。そして、その問合せの結果に応じて連携して、その機能を実行できる装置を決定して、当該機能を実行する技術を提供することにある。
【手続補正４】
【補正対象書類名】明細書
【補正対象項目名】０００６
【補正方法】変更
【補正の内容】
【０００６】
上記目的を達成するために本発明の一態様に係る通信装置は以下のような構成を備える。即ち、
自装置と連携して処理を実行可能な外部装置を記憶する記憶手段と、
機能の実行が指示された場合に、当該機能を実行可能かどうかを問合せる通知要求であって、当該通知要求の送信範囲がきめられた通知要求を、前記記憶手段に記憶されている外部装置に発行する問合せ手段と、
前記記憶手段に記憶されている外部装置、及び、当該外部装置が転送した通知要求を受信した前記送信範囲内に存在する他の装置から、前記問い合わせに対する応答を受信する受信手段と、
前記受信手段によって受信された応答に基づき、当該応答を送信した前記外部装置或いは前記他の装置と連携して前記機能を実行する処理手段と、
を有することを特徴とする。
【手続補正５】
【補正対象書類名】明細書
【補正対象項目名】０００７
【補正方法】変更
【補正の内容】
【０００７】
上記目的を達成するために本発明の一態様に係る通信装置は以下のような構成を備える。即ち、
自装置と通信可能な装置を記憶する記憶手段と、
外部装置から、所定の機能を実行可能かを問合せる通知要求であって、当該通知要求の送信範囲が決められた通知要求を受信する受信手段と、
前記受信手段によって受信された通知要求に対して応答する応答手段と、
前記記憶手段に記憶された装置が、前記通知要求において決められている送信範囲内に存在する場合、当該記憶された装置に前記通知要求を送信する送信手段と、
を有することを特徴とする。
【手続補正６】
【補正対象書類名】明細書
【補正対象項目名】０００８
【補正方法】変更
【補正の内容】
【０００８】
上記目的を達成するために本発明の一態様に係る通信装置の制御方法は以下のような工程を備える。即ち、
機能の実行が指示された場合に、当該機能を実行可能かどうかを問合せる通知要求であって、当該通知要求の送信範囲が決められた通知要求を、自装置と連携して処理を実行可能な外部装置を記憶するに記憶部に記憶されている外部装置に発行する問合せ工程と、
前記記憶部に記憶されている外部装置、及び、当該外部装置が転送した通知要求を受信した前記送信範囲内に存在する他の装置から、前記問合せに対する応答を受信する受信工程と、
前記受信工程で受信された応答に基づき、当該応答を送信した前記外部装置或いは前記他の装置と連携して前記機能を実行する処理工程と、を有することを特徴とする。
【手続補正７】
【補正対象書類名】明細書
【補正対象項目名】０００９
【補正方法】変更
【補正の内容】
【０００９】
上記目的を達成するために本発明の一態様に係る通信装置の制御方法は以下のような工程を備える。即ち、
外部装置から、所定の機能を実行可能かを問合せる通知要求であって、当該通知要求の送信範囲が決められた通知要求を受信する受信工程と、
前記受信手段によって受信された通知要求に対して応答する応答工程と、
自装置と通信可能な装置を記憶する記憶部に記憶された装置が、前記通知要求において決められている送信範囲内に存在する場合、当該記憶された装置に前記通知要求を送信する送信手段と、を有することを特徴とする。
【手続補正８】
【補正対象書類名】明細書
【補正対象項目名】００１０
【補正方法】変更
【補正の内容】
【００１０】
上記目的を達成するために本発明の一態様に係る通信システムは以下のような構成を備える。即ち、
ネットワークを介して第１の装置及び第２の装置を含む複数の装置が接続された通信システムであって、
前記複数の装置のそれぞれは、自装置と連携して処理を実行可能な装置を記憶する記憶手段を有し、
前記第１の装置は、
機能の実行が指示された場合に、当該機能を実行可能かどうかを問合せる通知要求であって、当該通知要求の送信範囲が決められた通知要求を、前記記憶手段に記憶されている外部装置に発行する問合せ手段と、
前記記憶手段に記憶されている外部装置、及び、当該外部装置が転送した通知要求を受信した前記送信範囲内に存在する他の装置から、前記問合せに対する応答を受信する第１の受信手段と、
前記受信手段によって受信された応答に基づき、当該応答を送信した前記外部装置或いは前記他の装置と連携して前記機能を実行する処理手段とを有し、
前記第２の装置は、
前記第１の装置から前記機能を実行可能かを問合せる通知要求であって、当該通知要求の送信範囲が決められた通知要求を受信する第２の受信手段と、
前記第１の受信手段によって受信された通知要求に対して応答する応答手段と、
前記記憶手段に記憶された装置が、前記通知要求において決められている送信範囲内に存在する場合、当該記憶された装置に前記通知要求を送信する送信手段と、を有することを特徴とする。